(57)【要約】【課題】装置内部で記録紙の搬送不良が発生した際に、その記録紙を簡単に取り除くことができる画像形成装置を提供すること。【解決手段】搬送経路１９ａ内を搬送される用紙の表面に画像を形成する画像形成装置において、上記用紙をガイドするガイド面２２ａを備えたガイド部２２と、このガイド部内に上記ガイド面２２ａに対して突没自在に設けられ、上記ガイド面２２ａから上記搬送経路１９ａ内に突出することで、上記用紙を上記ガイド面２２ａから剥離させる起伏部材２４とを具備する。【選択図】    図２
2005029339.tif 000002
【特許請求の範囲】
【請求項１】
搬送経路内を搬送される記録紙の表面に画像を形成する画像形成装置において、
上記記録紙をガイドするガイド面を備えたガイド部と、
このガイド部内に上記ガイド面に対して突没自在に設けられ、上記ガイド面から上記搬送経路内に突出することで、上記記録紙を上記ガイド面から剥離させる剥離部材と、
を具備することを特徴とする画像形成装置。
【請求項２】
上記ガイド面は、上記搬送経路の反対側に曲率中心を備えた曲面であることを特徴とする請求項１記載の画像形成装置。
【請求項３】
上記剥離部材は、上記ガイド部内に上記ガイド面と面一となる位置まで没入することを特徴とする請求項１記載の画像形成装置。
【請求項４】
上記剥離部材は、上記ガイド部内に完全に没入することを特徴とする請求項１記載の画像形成装置。
【請求項５】
搬送経路内を搬送される記録紙をガイドするガイド部を備えた画像形成装置において、
上記ガイド部は、搬送経路側に起立することで、上記記録紙を上記搬送経路内で弛ませることを特徴とする画像形成装置。
【発明の詳細な説明】
【０００１】
【発明の属する技術分野】
本発明は、搬送される記録紙の表面に画像を形成する画像形成装置に関する。
【０００２】
【従来の技術】
一般に、画像形成装置は、給紙ローラを有し記録紙を１枚ずつ送りだす搬送部と、感光体ドラムを有し記録紙の表面に感光体ドラム上に形成されたトナー像を転写する転写部と、加熱ローラと加圧ローラにより記録紙を挟持してその表面に転写されたトナー像を定着させる定着部とを有している。
【０００３】
最近の画像形成装置では、転写部と定着部を相互に近接して設けることにより、装置の小型化が進められている。この小型化により、転写と定着の行程間の搬送距離が短縮されることとなり、記録紙が複数の行程に跨った状態にあることが多くなった。
【０００４】
このため、記録紙の搬送不良（以降、「定着ジャム」と称する。）が生じた場合、特に定着部において定着ジャムが生じた場合には、その記録紙（以降、「ジャム紙」と称する。）は定着部から転写部に至る複数の行程に跨がり、複数のローラなどで挟持された状態となる。
【０００５】
このとき、ジャム紙は、定着部と転写部の行程間における搬送面上にほとんど隙間が無い状態で密着している。そのため、ジャム紙と搬送面との間に指を入れにくく、ジャム紙を取り除くのが困難となることがあった。
【０００６】
特に、定着ジャムが定着部の付近で発生した場合、加熱ローラから発生する熱によって搬送面などが高温となっていることがあり、ジャム紙を取り除くのが一層困難であった。
【０００７】
そこで、定着ジャムが定着部の付近で発生した場合に備えて、加熱ローラや加圧ローラに回転ハンドルを設け、この回転ハンドルによって加熱ローラや加圧ローラを回転させることで、ローラの間に挟持された記録紙を取り除く方法が開発された。
【０００８】
また、近年では、定着ジャムが発生した際に、転写部と定着部において記録紙の搬送を停止するタイミングをずらすことで、記録紙の一部にたわみ部（記録紙が搬送面から離間する部分）を形成し、このたわみ部を掴んで記録紙を取り除く方法が開示されている（例えば、特許文献１参照。）。
【０００９】
【特許文献１】
特開平７−１５７１４１号公報。
【００１０】
【発明が解決しようとする課題】
しかしながら、加熱ローラや加圧ローラを回転ハンドルによって回転させる方法では、記録紙が加熱ローラと加圧ローラに挟持されている必要があり、挟持されていない場合には、回転ハンドルをいくら回転しても記録紙を取り除くことができなかった。
【００１１】
また、記録紙にたわみ部を形成する方法では、記録紙が転写部と定着部の両行程間に跨っている必要があり、跨っていない場合には、転写部と定着部の搬送停止のタイミングをずらしても、たわみ部を形成することができなかった。
【００１２】
本発明は、上記事情を鑑みてなされたものであって、その目的とするところは、装置内部で記録紙の搬送不良が発生した際に、その記録紙を簡単に取り除くことができる画像形成装置を提供することにある。
【００１３】
【課題を解決するための手段】
上記課題を解決し目的を達成するために、本発明の画像形成装置は次のように構成されている。
【００１４】
（１）搬送経路内を搬送される記録紙の表面に画像を形成する画像形成装置において、上記記録紙をガイドするガイド面を備えたガイド部と、このガイド部内に上記ガイド面に対して突没自在に設けられ、上記ガイド面から上記搬送経路内に突出することで、上記記録紙を上記ガイド面から剥離させる剥離部材とを具備することを特徴とする。
【００１５】
（２）搬送経路内を搬送される記録紙をガイドするガイド部を備えた画像形成装置において、上記ガイド部は、搬送経路側に起立することで、上記記録紙を上記搬送経路内で弛ませることを特徴とする。
【００１６】
【発明の実施の形態】
以下、図面を参照しながら本発明の実施の形態を説明する。
【００１７】
図１は本発明の一実施の形態に係る電子写真複写機（画像形成装置）を示す構成図である。
【００１８】
図１に示すように、この電子写真複写機は装置本体１Ａを有し、この装置本体１Ａ内には画像形成部１が設けられている。画像形成部１は、感光体ドラム２と、この感光体ドラム２を所定の電位に帯電させる帯電器５と、帯電された感光体ドラム２上に静電潜像を形成する露光装置４を備えている。
【００１９】
また、画像形成部１は、露光装置４により感光体ドラム２上に形成された静電潜像に現像剤としてのトナーを供給して可視化するカラー用の回転式現像装置８Ａとモノクロ用の固定式現像装置８Ｂを有している。回転式現像装置８Ａは、イエロートナーを供給する第１の現像部８ａ、シアントナーを供給する第２の現像部８ｂ、マゼンタトナーを供給する第３の現像部８ｃを有している。
【００２０】
さらに、画像形成部１は、各現像装置８Ａ、８Ｂにより感光体ドラム２に形成されたトナー像を一時的に保持する中間転写ベルト３を備えている。また、画像形成部１は、中間転写ベルト３をクリーニングするクリーナ６ａ、および感光体ドラム２上に残ったトナーを除去するクリーナ６ｂを備えている。
【００２１】
中間転写ベルト３は、第１〜第４のローラ３ａ〜３ｄ間に所定の張力で掛け渡されており、第２、第３のローラ３ｂ、３ｃに掛け渡される部分には感光体ドラム２の外周面が密着している。また、感光体ドラム２の上部には、中間転写ベルト３を介して１次転写ローラ１２が圧接されている。
【００２２】
画像形成部１の下方部には、所定サイズの用紙（記録紙）をセットする給紙カセット１８ａ、１８ｂが設けられている。これら給紙カセット１８ａ、１８ｂには、それぞれ用紙を取り出すためのピックアップローラ７が設けられている。ピックアップローラ７によって取り出された用紙は、給紙ローラ１５と分離ローラ１６によって一枚ずつに分離され、搬送部１９によって搬送される。
【００２３】
搬送部１９には、用紙の搬送方向（図１中矢印Ａを参照）に沿って順に、搬送ローラ対９、レジストローラ１７、２次転写ローラ１１、排出ローラ対３０が配設されており、これら各ローラ９、１１、１７、３０によって用紙が搬送される搬送経路１９ａが形成されている。レジストローラ１７は、搬送されてくる用紙を一時的に停止させて、搬送方向に対する用紙の傾きを修正するとともに、用紙の先端と中間転写ベルト３上のトナー像の先端とを一致させるものである。
【００２４】
また、２次転写ローラ１１と排出ローラ対３０の間には、用紙に転写されたトナー像を加熱により定着させる定着器１３が配設されている。
【００２５】
図２は同実施の形態に係るガイド部２２の周辺を示す斜視図、図３は同実施の形態に係るガイド部２２の周辺を示し、（ａ）は起伏部材２４が倒伏している状態を示す構成図、（ｂ）は起伏部材２４が起立している状態を示す構成図である。
【００２６】
図２と図３に示すように、この定着器１３は、加熱ローラ１３ａと加圧ローラ１３ｂを有している。加熱ローラ１３ａの用紙搬送方向下流側には、剥離ローラ１３ｃが配設されている。加熱ローラ１３ａと剥離ローラ１３ｃには、定着ベルト１４が掛け渡されており、剥離ローラ１３ｃを回転させることでローラ１３ａ、１３ｃ間を循環走行するようになっている。
【００２７】
剥離ローラ１３ｃは、内部に加熱装置２７を有しており、この加熱装置２７を作動させることで、剥離ローラ１３ｃを介して定着ベルト１４を２００［℃］程度まで加熱できるようになっている。また、加圧ローラ１３ｂは、加熱ローラ１３ａの外周面に圧接しており、これらローラ１３ａ、１３ｂ間を搬送される用紙を加熱ローラ１３ａに加圧するようになっている。
【００２８】
剥離ローラ１３ｃの用紙搬送方向下流側には、剥離プレート２０が配設されている。この剥離プレート２０は、その一端部が剥離ローラ１３ｃの外周面に対して僅かな隙間を存して突き付けられており、これによって、定着器１３から排出される用紙を定着ベルト１４から剥離できるようになっている。
【００２９】
剥離プレート２０の用紙搬送方向下流側には、剥離プレート２０によって定着ベルト１４から剥離された用紙を排出ローラ対３０にガイドするためのガイド部２２が設けられている。
【００３０】
このガイド部２２は、複数のガイド板２３を所定の間隔で並設することで構成されている。各ガイド板２３は、所定の曲率で湾曲した湾曲面２３ａを有しており、上述のように並設されることで、各々の湾曲面２３ａによって上記曲率で滑らかに湾曲するガイド面２２ａが構成されている。定着器１３から排出された用紙は、ガイド面２２ａに密着した状態で排出ローラ対３０側に滑らかにガイドされる。なお、湾曲面２３ａ及びガイド面２２ａの曲率中心は、これら湾曲面２３ａ及びガイド面２２ａを挟んで搬送経路１９ａの反対側に位置している。
【００３１】
ガイド部２２の用紙搬送方向上流側の部分には、丸棒からなる軸部材２５ａが各ガイド板２３に対してほぼ垂直かつ回転可能に設けられている。この軸部材２５ａには、一方の端面２４ａが上記ガイド面２２ａに沿った形状に形成された複数の起伏部材２４（剥離部材）が所定間隔で設けられている。これら起伏部材２４は、樹脂等により形成されており、それぞれガイド板２３とガイド板２３の間の隙間に配置されている。
【００３２】
軸部材２５ａの一端部には、レバー２５が固定されており、このレバー２５を掴んで軸部材２５ａを回転させることで、ガイド板２３を起伏できるようになっている。
【００３３】
レバー２５によって起伏部材２４を倒伏させると、これら起伏部材２４はガイド板２３の間の隙間に完全に収容される（図２の実線を参照）。また、レバー２５によって起伏部材２４を起立させると、これら起伏部材２４はガイド面２２ｂから搬送経路１９ａ内に突出するようになっている（図２の点線を参照）。
【００３４】
また、排出ローラ対３０の用紙搬送方向下流側には、排出される用紙を受ける排出トレイ３１が設けられている。また、装置本体１Ａの一側部には両面コピー時に使用される自動両面装置２９及び手差し給紙時に使用される手差し給紙部３２が設けられている。
【００３５】
さらに、装置本体１Ａの上部側には原稿載置台２８上の原稿を光学的に読み取る光学式の読取装置２６が設けられている。
【００３６】
次に、上記した画像形成装置の印字動作について説明する。
【００３７】
まず、原稿載置台２８上に載置された原稿を光学式の読取装置２６で読み取る。このとき、感光体ドラム２の表面が帯電器５によって一様に帯電される。そして、この帯電された感光体ドラム２上に露光装置４によって読取情報に応じた露光が行われて静電潜像が形成される。この静電潜像は感光体ドラム２の回転により現像装置８Ｂに送られて対向し、現像装置８Ｂから黒色のトナーが供給されることにより現像される。この現像されたトナー像は感光体ドラム２の回転により中間転写ベルト３上に送られて、１次転写ローラ１２によって１次転写される。転写領域を通過した後、感光体ドラム２は除電器（不図示）で光除電され、また、感光体ドラム２上に残ったトナーはクリーナ６ｂでクリーニングされる。
【００３８】
このとき、給紙カセット１８ａ、１８ｂから取り出された用紙が中間転写ベルト３と２次転写ローラ１１との間に送り込まれ、中間転写ベルト３上のトナー像が２次転写される。この転写後、用紙は中間転写ベルト３から剥離されて定着器１３に送られ、この定着器１３でトナー像が加熱、加圧によって定着される。この定着後、用紙はガイド部２２によってガイドされ、排出ローラ対３０によって外部に排出される。外部に排出された用紙は、排出トレイ３１上に順次積載されていく。このとき、起伏部材２４は倒伏しており、ガイド板２３の間の隙間に収容されている。これによって、起伏部材２４によって用紙の搬送が妨害されることはない。
【００３９】
定着器１３付近で定着ジャムが発生した場合、特にジャム紙Ｐが定着器１３と排出ローラ対３０によって挟持されている場合、ガイド面２２ａが湾曲しているために、図４（ａ）に示すように、ジャム紙Ｐがガイド面２２ａに殆んど隙間が無いよう密着してしまうことがある。
【００４０】
この場合、ガイド面２２ａと用紙の間に指を入れ難いため、ジャム紙Ｐの除去が非常に困難となる。しかしながら、図４（ｂ）に示すように、レバー２５を回転させて起伏部材２４をガイド面２２ａに対して起立させることで、ジャム紙Ｐをガイド面２２ａから剥離すれば、ガイド面２２ａとジャム紙Ｐの間に指を入れるためのスペースを形成することができるから、ジャム紙Ｐの除去を容易に行うことができる。
【００４１】
これによって、作業者はガイド部２２に指を触れることなく、ジャム紙Ｐを取り除くことができるから、たとえ定着器１３の加熱によりガイド面２２ａが高温になっていても、大胆かつ迅速にジャム紙Ｐの除去を行うことができる。
【００４２】
さらに、起伏部材２４を用いてジャム紙Ｐをガイド面２２ａから剥離するため、指を入れるためのスペースを一定の位置に形成することができる。その結果、ジャム紙Ｐの除去を確実に行えることができる。
【００４３】
また、本実施の形態によれば、ジャム紙Ｐが定着器１３と排出ローラ対３０の一方にしか挟持されていない場合であっても、ガイド面２２ａとジャム紙Ｐの間に上記スペースを形成することができる。
【００４４】
また、ジャム紙Ｐを取り除いた後は、レバー２５を回転させて起伏部材２４をガイド板２３の間の隙間に収容すれば、すぐに印字動作を再開することができる。
【００４５】
また、起伏部材２４の一方の端面２４ａを各ガイド板２３の湾曲面２３ａとほぼ同じ形状に形成しているため、端面２４ａがガイド面２２ａと面一となるように起伏部材２４を位置させることで、ガイド面２２ａがガイド板２３の湾曲面２３ａと起伏部材２４の端面２４ａによって構成されることになるから、ガイド板２３のみの場合に比べて用紙を支持する面積が増加し、用紙をより確実にガイドすることができる。
【００４６】
なお、本発明は上記実施の形態に限定されるものではない。例えば、上記実施の形態では、起伏部材２４を滑らかに湾曲したガイド面２２ａを備えたガイド部２２に設けているが、この起伏部材２４を例えばほぼ平面状のガイド面を備えたガイド部に設けても、ジャム紙の除去を迅速かつ確実に行える効果を得られる。このような部位としては、定着器１３と２次転写ローラ１１の間、搬送ローラ対９と給紙ローラ１５の間などが考えられる。
【００４７】
また、起伏部材２４の数を増加させることによって、ガイド部２２を省略することも可能となる。すなわち、印字動作をするとき、起伏部材２４を倒伏させてその端面２４ａのみによって用紙をガイドするガイド面２２Ａを構成し、定着ジャムが発生したとき、起伏部材２４を起立させてジャム紙を搬送経路１９ａ内で弛ませるようにしてもよい。
【００４８】
逆に、ガイド部２２に起伏機構を設け、このガイド部２２を起伏させることで、印字動作時にはガイドとして使用し、定着ジャム発生時には用紙を弛ませるようにしてもよい。
【００４９】
【発明の効果】
本発明によれば、装置内部で定着ジャムが発生した際に、ジャム紙を簡単に取り除くことができる。
【図面の簡単な説明】
【図１】本発明の一実施の形態に係る電子写真複写機を示す構成図。
【図２】同実施の形態に係るガイド部の周辺を示す斜視図。
【図３】同実施の形態に係るガイド部の周辺を示し、（ａ）は起伏部材２４が倒伏している状態を示す構成図、（ｂ）は起伏部材２４が起立している状態を示す構成図。
【図４】同実施の形態に係るガイド部付近に定着ジャムが発生したときの様子を示し、（ａ）は定着ジャム発生時の説明図、（ｂ）は定着ジャム除去時の説明図。
【符号の説明】
１９ａ…搬送経路、２２…ガイド部、２２ａ…ガイド面、２４…起伏部材（剥離部材）。
【図１】
2005029339.tif 000003
【図２】
2005029339.tif 000004
【図３】
2005029339.tif 000005
【図４】
2005029339.tif 000006